(57)【特許請求の範囲】
【請求項１】
互いにウエブが向き合うように立設されている複数本の断面Ｈ型の支柱と、
該支柱のうち互いに向き合った一対の支柱のそれぞれのウエブ面とフランジ内面とから形成される懐に、両側部が保持されて下方向に落とし込まれて配置された既設壁面部材と、を具備する壁体構造の改修方法であって、
前記既設壁面部材のうち撤去すべき既設壁面部材の直上に位置する既設壁面部材を、仮止め手段によって落下不能に仮止めする工程と、
前記撤去すべき既設壁面部材を破壊または変形させて、前記互いに向き合った一対の支柱の間から撤去する工程と、
前記互いに向き合った一対の支柱のウエブに、前記撤去すべき既設壁面部材の上方に位置する既設壁面部材の落下を防止する既設壁面部材支持金具を設置する工程と、
前記互いに向き合った一対の支柱のフランジ外面であって、前記撤去すべき既設壁面部材の下縁が撤去される前に位置していた部分に相当する高さに、上面に凹溝を具備する下段枠を配置し、その両端部をそれぞれ前記フランジ外面の相当する高さに設置する工程と、
新規に設置される新設壁面部材の下縁を、前記下段枠の凹溝に装入する工程と、
前記下縁が前記下段枠の凹溝に装入されている新設壁面部材の上縁を、下面に凹溝を具備する上段枠に装入する工程と、
前記上段枠の両端部をそれぞれ前記互いに向き合った一対の支柱のフランジ外面に設置する工程と、
前記新設壁面部材の側縁を保持する縦枠を、前記互いに向き合った一対の支柱のフランジ外面に設置する工程と、
とを有する壁体構造の改修方法。
【請求項２】
前記新設壁面部材に、前記一対の支柱のうち一方の支柱を隔てて隣接する改修済み新設
壁面部材が存在するとき、
前記新設壁面部材と前記改修済み新設壁面部材とを、前記一方の支柱を貫通するワイヤーによって連結する工程、を有することを特徴とする請求項１記載の壁体構造の改修方法。
【請求項３】
互いにウエブが向き合うように立設されている複数本の断面Ｈ型の支柱と、
該支柱のうち互いに向き合った一対の支柱のそれぞれのウエブ面とフランジ内面とから形成される懐に、両側部が保持されて下方向に落とし込まれて配置された既設壁面部材と、を具備する壁体構造の改修方法であって、
前記既設壁面部材のうち撤去すべき既設壁面部材の直上に位置する既設壁面部材を、仮止め手段によって落下不能に仮止めする工程と、
前記撤去すべき既設壁面部材を破壊または変形させて、前記互いに向き合った一対の支柱の間から撤去する工程と、
前記互いに向き合った一対の支柱のウエブに、前記撤去すべき既設壁面部材の上方に位置する既設壁面部材の落下を防止する既設壁面部材支持金具を設置する工程と、
前記互いに向き合った一対の支柱のフランジ外面であって、前記撤去すべき既設壁面部材の下縁が撤去される前に位置していた部分に相当する高さに、上面に凹溝を具備する下段枠を配置し、その両端部をそれぞれ前記フランジ外面の相当する高さに設置する工程と、
新規に設置される下段新設壁面部材の下縁を、前記下段枠の凹溝に装入する工程と、
前記下縁が前記下段枠の凹溝に装入されている下段新設壁面部材の上縁を、上下面に凹溝を具備する中段枠の下面に形成された凹部に装入する工程と、
前記中段枠の両端部をそれぞれ前記互いに向き合った一対の支柱のフランジ外面に設置する工程と、
新規に設置されるべき上段新設壁面部材の下縁を、前記中段枠の上面に形成された凹溝に装入する工程と、
前記下縁が前記中段枠の凹部に装入されている上段新設壁面部材の上縁を、下面に凹溝を具備する上段枠の凹部に装入する工程と、
前記上段枠の両端部をそれぞれ前記互いに向き合った一対の支柱のフランジ外面に設置する工程と、
前記下段新設壁面部材の側縁および上段新設壁面部材の側縁を保持する縦枠を、前記互いに向き合った一対の支柱のフランジ外面に設置する工程と、
とを有する壁体構造の改修方法。
【請求項４】
前記下段側の新設壁面部材に、前記一対の支柱のうち一方の支柱を隔てて隣接する改修済み新設壁面部材が存在するとき、
前記下段側の新設壁面部材と前記改修済み新設壁面部材とを、前記一方の支柱を貫通するワイヤーによって連結する工程、を有することを特徴とする請求項３記載の壁体構造の改修方法。
【請求項５】
前記上段新設壁面部材に、前記一対の支柱のうち一方の支柱を隔てて隣接する改修済み新設壁面部材が存在するとき、
前記上段新設壁面部材と前記改修済み新設壁面部材とを、前記一方の支柱を貫通するワイヤーによって連結する工程、を有することを特徴とする請求項３記載の壁体構造の改修方法。
【請求項６】
前記撤去すべき既設壁面部材の直上に位置する既設壁面部材の下縁と、前記両端部がそれぞれ前記互いに向き合った一対の支柱のフランジ外面に設置されている上段枠の上縁と、の隙間を覆う断面Ｌ字状の隙間隠し板を設置する工程を有することを特徴とする請求項１乃至５の何れかに記載の壁体構造の改修方法。
【請求項７】
互いにウエブが向き合うように立設されている複数本の断面Ｈ型の支柱と、
該支柱のうち互いに向き合った一対の支柱のそれぞれのウエブ面とフランジ内面とから形成される懐に、両側部が保持されて下方向に落とし込まれて配置された既設壁面部材と、を具備する壁体構造の改修方法であって、
前記既設壁面部材のうち撤去すべき既設壁面部材の直上に位置する既設壁面部材を、仮止め手段によって落下不能に仮止めする工程と、
前記撤去すべき既設壁面部材を破壊または変形させて、前記互いに向き合った一対の支柱の間から撤去する工程と、
前記互いに向き合った一対の支柱のウエブに、前記撤去すべき既設壁面部材の上方に位置する既設壁面部材の落下を防止する既設壁面部材支持金具を設置する工程と、
前記互いに向き合った一対の支柱のフランジ外面であって、前記撤去すべき既設壁面部材の下縁が撤去される前に位置していた部分に相当する高さに、上面に凹溝を具備する下段枠を配置し、その両端部をそれぞれ前記フランジ外面の相当する高さに設置する工程と、
新規に設置される新設壁面部材の下縁を前記下段枠の凹溝に装入する工程と、
前記新設壁面部材の両側縁を、前記互いに向き合った一対の支柱のフランジ外面に略当接する工程と、
前記新設壁面部材の側縁を保持する縦枠を、前記フランジ外面に設置する工程と、
前記既設壁面部材の下縁に、前記新設壁面部材の上縁を覆う隙間隠し板を設置する工程と、
を有する壁体構造の改修方法。
【請求項８】
前記新設壁面部材の後面の上縁と前記隙間隠し板の前面の下縁とに挟まれるように隙間隠しゴム材が設置されていることを特徴とする請求項７記載の壁体構造の改修方法。
【請求項９】
前記新設壁面部材に、前記一対の支柱のうち一方の支柱を隔てて隣接する改修済み新設壁面部材が存在するとき、
前記新設壁面部材と前記改修済み新設壁面部材とを、前記一方の支柱を貫通するワイヤーによって連結する工程、を有することを特徴とする請求項７または８記載の壁体構造の改修方法。
【請求項１０】
前記下段枠の両端部または前記上段枠の両端部を、片面締結ボルトを用いて前記フランジ外面に設置することを特徴とする請求項１乃至９の何れかに記載の壁体構造の改修方法。
【発明の詳細な説明】
【技術分野】
【０００１】
本発明は壁体構造の改修方法、特に、壁体構造を構成する既設壁面部材の一部を新設壁面部材に改修する壁体構造の改修方法に関する。
【背景技術】
【０００２】
従来、風の流入を防止する防風壁、光の照射を防止する遮光壁、車両の騒音を遮断する遮音壁若しくは低減する防音壁、あるいは砂の進入を防ぐ防砂壁等（以下、「壁体構造」と総称する）は、所定の間隔を設けて立設された複数本の断面Ｈ型の支柱と、該支柱の間に上位下方向に積み重ねられた複数の壁面部材（以下、「既設壁面部材」と称す）と、を具備している。
なお、既設壁面部材は所定厚さの矩形状板または矩形状枠体であって、複数枚が上下方向に積み上げられることによって壁面を形成している。そして、その用途に応じて、所定の剛性を具備すると共に、それぞれ難通風性または通風低減性、遮光性、遮音性、耐摩耗性等の性能を発揮するものである。
このとき、一対の断面Ｈ型の支柱のウエブは互いに向かい合っていて、既設壁面部材の両側部は、一対の断面Ｈ型の支柱のウエブ面とフランジ内面とから形成される懐にそれぞれ保持されて下方向に落とし込まれている（以下、「落とし込み式壁体構造」と称する場合がある）。
【０００３】
このため、壁体構造を構成する既設壁面部材、特に、最下段に配置された既設壁面部材を、破損や変形、あるいは所定性能の悪化等の理由によって、取り替える必要が生じた場合、当該既設壁面部材の上方に配置されている既設壁面部材を上から順番に抜き出して当該既設壁面部材を撤去し、撤去された位置に新規に設置される新設壁面部材を上から落とし込み、さらに、その上に、先に抜き出した既設壁面部材を上から順番に落とし込む作業をすることになる。
したがって、当該作業はその作業自体に長時間を要すという問題と共に、当該作業のための大型機械（例えば、クレーン等）が必要になり、且つ、該大型機械を設置するためのスペースが必要になるという問題があった。
このため、大型機械を用いることなく既設壁面部材のみを撤去して、これに替えて長手方向に伸長可能な交換用壁板（新設壁面部材に相当する）を設置する発明が開示されている（例えば、特許文献１参照）。
【０００４】
また、交換を容易にする目的で、一対の断面Ｈ型の支柱のフランジの道路側の面に、支柱に垂直（鉛直に立設された支柱に対しては、水平方向に同じ）に所定の間隔で複数の横胴縁を設置し、透光性遮音板（新設壁面部材に相当する）の上端および下端を、それぞれ取り付け枠を介して横胴縁に固定する発明が開示されている（例えば、特許文献２参照）。
【０００５】
【特許文献１】特開平７−２４７５１６号公報（第３−４頁、図１）
【特許文献２】特許第３６７１４６２号公報（第５−６頁、図１３）
【発明の開示】
【発明が解決しようとする課題】
【０００６】
しかしながら、特許文献１に開示された発明は、長手方向に伸長可能な交換用壁板が、２枚の表面板と、これらの間隔を調整する伸縮部材と、から構成されるため、交換用壁が複雑になると共に、伸縮部材の経年劣化によって表面板が脱落するおそれがあるという新たな問題があった。
また、特許文献２に開示された発明は、それぞれの透光性遮音板が、取り付け枠を介して横胴縁に固定するものであるから、前記落とし込み式壁体構造に比較して、当初の設置作業が煩雑になると共に、前記落とし込み式壁体構造として完成している壁体構造に対しては、その改修方法として適用できないという問題があった。
【０００７】
本発明は、このような問題を解決するためになされたものであって、落とし込み式壁体構造でありながら、撤去されるべき既設壁面部材のみを撤去して、これに替えて、簡素構造の壁面部材を容易に設置することができる壁体構造の改修方法を提供することを目的とする。
【課題を解決するための手段】
【０００８】
（１）本発明に係る壁体構造の改修方法は、互いにウエブが向き合うように立設されている複数本の断面Ｈ型の支柱と、
該支柱のうち互いに向き合った一対の支柱のそれぞれのウエブ面とフランジ内面とから形成される懐に、両側部が保持されて下方向に落とし込まれて配置された既設壁面部材と、を具備する壁体構造の改修方法であって、
前記既設壁面部材のうち撤去すべき既設壁面部材の直上に位置する既設壁面部材を、仮止め手段によって落下不能に仮止めする工程と、
前記撤去すべき既設壁面部材を破壊または変形させて、前記互いに向き合った一対の支柱の間から撤去する工程と、
前記互いに向き合った一対の支柱のウエブに、前記撤去すべき既設壁面部材の上方に位置する既設壁面部材の落下を防止する既設壁面部材支持金具を設置する工程と、
前記互いに向き合った一対の支柱のフランジ外面であって、前記撤去すべき既設壁面部材の下縁が撤去される前に位置していた部分に相当する高さに、上面に凹溝を具備する下段枠を配置し、その両端部をそれぞれ前記フランジ外面の相当する高さに設置する工程と、
新規に設置される新設壁面部材の下縁を、前記下段枠の凹溝に装入する工程と、
前記下縁が前記下段枠の凹溝に装入されている新設壁面部材の上縁を、下面に凹溝を具備する上段枠に装入する工程と、
前記上段枠の両端部をそれぞれ前記互いに向き合った一対の支柱のフランジ外面に設置する工程と、
前記新設壁面部材の側縁を保持する縦枠を、前記互いに向き合った一対の支柱のフランジ外面に設置する工程と、
とを有するものである。
【０００９】
（２）前記（１）において、前記新設壁面部材に、前記一対の支柱のうち一方の支柱を隔てて隣接する改修済み新設壁面部材が存在するとき、
前記新設壁面部材と前記改修済み新設壁面部材とを、前記一方の支柱を貫通するワイヤーによって連結する工程、を有することを特徴とするものである。
【００１０】
（３）また、本発明に係る壁体構造の改修方法は、互いにウエブが向き合うように立設されている複数本の断面Ｈ型の支柱と、
該支柱のうち互いに向き合った一対の支柱のそれぞれのウエブ面とフランジ内面とから形成される懐に、両側部が保持されて下方向に落とし込まれて配置された既設壁面部材と、を具備する壁体構造の改修方法であって、
前記既設壁面部材のうち撤去すべき既設壁面部材の直上に位置する既設壁面部材を、仮止め手段によって落下不能に仮止めする工程と、
前記撤去すべき既設壁面部材を破壊または変形させて、前記互いに向き合った一対の支柱の間から撤去する工程と、
前記互いに向き合った一対の支柱のウエブに、前記撤去すべき既設壁面部材の上方に位置する既設壁面部材の落下を防止する既設壁面部材支持金具を設置する工程と、
前記互いに向き合った一対の支柱のフランジ外面であって、前記撤去すべき既設壁面部材の下縁が撤去される前に位置していた部分に相当する高さに、上面に凹溝を具備する下段枠を配置し、その両端部をそれぞれ前記フランジ外面の相当する高さに設置する工程と、
新規に設置される下段新設壁面部材の下縁を、前記下段枠の凹溝に装入する工程と、
前記下縁が前記下段枠の凹溝に装入されている下段新設壁面部材の上縁を、上下面に凹溝を具備する中段枠の下面に形成された凹部に装入する工程と、
前記中段枠の両端部をそれぞれ前記互いに向き合った一対の支柱のフランジ外面に設置する工程と、
新規に設置されるべき上段新設壁面部材の下縁を、前記中段枠の上面に形成された凹溝に装入する工程と、
前記下縁が前記中段枠の凹部に装入されている上段新設壁面部材の上縁を、下面に凹溝を具備する上段枠の凹部に装入する工程と、
前記上段枠の両端部をそれぞれ前記互いに向き合った一対の支柱のフランジ外面に設置する工程と、
前記下段新設壁面部材の側縁および上段新設壁面部材の側縁を保持する縦枠を、前記互いに向き合った一対の支柱のフランジ外面に設置する工程と、
とを有するものである。
【００１１】
（４）前記（３）において、前記下段側の新設壁面部材に、前記一対の支柱のうち一方の支柱を隔てて隣接する改修済み新設壁面部材が存在するとき、
前記下段側の新設壁面部材と前記改修済み新設壁面部材とを、前記一方の支柱を貫通するワイヤーによって連結する工程、を有することを特徴とするものである。
【００１２】
（５）前記（３）において、前記上段新設壁面部材に、前記一対の支柱のうち一方の支柱を隔てて隣接する改修済み新設壁面部材が存在するとき、
前記上段新設壁面部材と前記改修済み新設壁面部材とを、前記一方の支柱を貫通するワイヤーによって連結する工程、を有することを特徴とするものである。
【００１３】
（６）前記（１）乃至（５）の何れかにおいて、前記撤去すべき既設壁面部材の直上に位置する既設壁面部材の下縁と、前記両端部がそれぞれ前記互いに向き合った一対の支柱のフランジ外面に設置されている上段枠の上縁と、の隙間を覆う断面Ｌ字状の隙間隠し板を設置する工程を有することを特徴とするものである。
【００１４】
（７）さらに、本発明に係る壁体構造の改修方法は、互いにウエブが向き合うように立設されている複数本の断面Ｈ型の支柱と、
該支柱のうち互いに向き合った一対の支柱のそれぞれのウエブ面とフランジ内面とから形成される懐に、両側部が保持されて下方向に落とし込まれて配置された既設壁面部材と、を具備する壁体構造の改修方法であって、
前記既設壁面部材のうち撤去すべき既設壁面部材の直上に位置する既設壁面部材を、仮止め手段によって落下不能に仮止めする工程と、
前記撤去すべき既設壁面部材を破壊または変形させて、前記互いに向き合った一対の支柱の間から撤去する工程と、
前記互いに向き合った一対の支柱のウエブに、前記撤去すべき既設壁面部材の上方に位置する既設壁面部材の落下を防止する既設壁面部材支持金具を設置する工程と、
前記互いに向き合った一対の支柱のフランジ外面であって、前記撤去すべき既設壁面部材の下縁が撤去される前に位置していた部分に相当する高さに、上面に凹溝を具備する下段枠を配置し、その両端部をそれぞれ前記フランジ外面の相当する高さに設置する工程と、
新規に設置される新設壁面部材の下縁を前記下段枠の凹溝に装入する工程と、
前記新設壁面部材の両側縁を、前記互いに向き合った一対の支柱のフランジ外面に略当接する工程と、
前記新設壁面部材の側縁を保持する縦枠を、前記フランジ外面に設置する工程と、
前記既設壁面部材の下縁に、前記新設壁面部材の上縁を覆う隙間隠し板を設置する工程と、を有するものである。
【００１５】
（８）前記（７）において、前記新設壁面部材の後面の上縁と前記隙間隠し板の前面の下縁とに挟まれるように隙間隠しゴム材が設置されていることを特徴とするものである。
（９）前記（７）または（８）において、前記新設壁面部材に、前記一対の支柱のうち一方の支柱を隔てて隣接する改修済み新設壁面部材が存在するとき、
前記新設壁面部材と前記改修済み新設壁面部材とを、前記一方の支柱を貫通するワイヤーによって連結する工程、を有することを特徴とするものである。
【００１６】
（１０）さらに、前記（１）乃至（９）の何れかにおいて、前記下段枠の両端部または前記上段枠の両端部を、片面締結ボルトを用いて前記フランジ外面に設置することを特徴とするものである。
【発明の効果】
【００１７】
本発明に係る壁体構造の改修方法は、以上であるから、下記の効果を奏する。
（ｉ）撤去すべき既設壁面部材の直上に位置する既設壁面部材をそのままにして（一旦、撤去しないで）、簡単な部材によって新たに新設壁面部材を設置することができるから、改修作業が迅速になる。
また、複数の部材によって新設壁面部材が保持されているから、保持している部材の全てが経年劣化して脱落しない限り、新設壁面部材の脱落のおそれがない。すなわち、保持している部材の脱落は容易に発見されるから、新設壁面部材の脱落に至らない。
【００１８】
（ｉｉ）新たに設置される新設壁面部材と、既に改修済みの新設壁面部材（既に設置されている）とが一方の支柱を隔てて隣接する場合、当該支柱を貫通するワイヤーによって連結するから、仮に、過剰な力（異物の衝突等）が作用して、新設壁面部材が断面Ｈ型の支柱の懐から抜け出したとしても、完全に脱落することがない。すなわち、例えば、高架道路や高架橋の側縁に沿って設置された壁体構造において、車等が衝突した場合であっても、新設壁面部材が地上に落下するようなことがない。
【００１９】
（ｉｉｉ）中段枠を介して、下段側の新設壁面部材と上段側の新設壁面部材とが新たに設置されるから、撤去すべき既設壁面部材の多少に関わらず、容易に改修することができると共に、下段側の新設壁面部材と上段側の新設壁面部材とを異なるものにして意匠性を高めることができる。
また、撤去すべき既設壁面部材が多い場合（撤去すべき面積が広い場合）であっても、中段枠によって下段側の新設壁面部材および上段側の新設壁面部材の双方が補剛されるから、それらの増厚を抑えることができる。すなわち、所定厚さの新設壁面部材を用意するだけで、中段枠の本数と新設壁面部材の枚数との変更によって、撤去すべき既設壁面部材の多少に対応することが可能になるから、様々な厚さの新設壁面部材を用意する必要がなくなる。すなわち、新設壁面部材の標準化を図ることが可能になる。
【００２０】
（ｉｖ）新たに設置される下段側の新設壁面部材と改修済み新設壁面部材（既に設置されている）とを、前記一方の支柱を貫通するワイヤーによって連結するから、仮に、過剰な力が作用して、下段側の新設壁面部材が断面Ｈ型の支柱の懐から抜け出したとしても、完全に脱落することがない。
（ｖ）新たに設置される上段側の新設壁面部材と改修済み新設壁面部材（既に設置されている）とを、前記一方の支柱を貫通するワイヤーによって連結するから、仮に、過剰な力が作用して、上段側の新設壁面部材が断面Ｈ型の支柱の懐から抜け出したとしても、完全に脱落することがない。
【００２１】
（ｖｉ）撤去すべき既設壁面部材の直上に位置する既設壁面部材（撤去されないまま残っている既設壁面部材に同じ）の下縁と上段枠の上縁との隙間を覆う断面Ｌ字状の隙間隠し板を設置するから、当該隙間を風、音、あるいは砂等が通過することがない。
【００２２】
（ｖｉｉ）上段枠を設置することなく、新設壁面部材の上縁を覆う隙間隠し板によって、新設壁面部材の上縁が保持されるため、部品点数が低減し、当該部材を設置するための穿孔作業が省略されるため、改修作業が迅速かつ安価になる。
【００２３】
（ｖｉｉｉ）新設壁面部材と隙間隠し板との間に隙間隠しゴム材が設置されるから、新設壁面部材と既設隙間隠し板との間を風、音、あるいは砂等が通過することがなくなり、防音性（遮音性）等が向上する。
（ｉｘ）新たに設置される新設壁面部材と改修済み新設壁面部材（既に設置されている）とを、一方の支柱を貫通するワイヤーによって連結するから、新設壁面部材が断面Ｈ型の支柱の懐から抜け出したとしても、完全に脱落することがない。
【００２４】
（ｘ）下段枠および上段枠を片面締結ボルト（ワンサイドボルトに同じ）を用いてフランジ外面に設置するから、改修作業が迅速になる。
【発明を実施するための最良の形態】
【００２５】
［実施形態１］
図１〜図１０は本発明の実施形態１に係る壁体構造の改修方法を工程を追って説明するものであって、それぞれの（ａ）は壁体構造の一部を模式的に示す正面図、（ｂ）は断面図である。また、図１１〜図２０は、図１〜図１０に示す壁体構造の改修方法の説明を捕捉するための模式図であって、図１４および図１９は側面図、図１６は平面視の断面図、その他の図については使用する部材を示す（ａ）が平面図、（ｂ）が正面図、（ｃ）が側面図である。なお、各図において同じ部分にはこれと同じ符号を付し、一部の説明を省略する。
【００２６】
（改修前の状況）
図１において、壁体構造１００は、道路または橋梁の側縁に沿って設置されたものであって、壁体基礎１１に所定の間隔を設けて立設された複数本の断面Ｈ型の支柱１２と、支柱１２のうち隣接する一対の支柱１２のそれぞれの支柱ウエブ１２ｗの面と支柱フランジ１２ｆの内面（支柱ウエブ１２ｗ側）とから形成される支柱懐部１３に、両側部が保持されて下方向に落とし込まれて配置された複数枚の既設壁面部材１ａ、１ｂおよび複数枚の既設壁面部材２ａ、２ｂ・・・２ｉと、一対の支柱１２の先端同士を連結する先端連結材１４と、を有している。
なお、既設壁面部材１ａ、１ｂは撤去すべきものであって、便宜上、それぞれを撤去壁面部材１ａ、１ｂ、まとめて「撤去壁面部材１」と称す。また、既設壁面部材２ａ、２ｂ・・・２ｉは、撤去されないで改修後も残されるものであって、便宜上、それぞれを保存壁面部材２ａ、２ｂ・・・２ｉ、まとめて「保存壁面部材２」と称す。
【００２７】
さらに、支柱懐部１３内には、下端が壁体基礎１１に固定され、上端が先端連結材１４または支柱の先端に固定された既設壁面部材落下防止ワイヤー（図示しない）が、上下方向に配置されている。そして、撤去壁面部材１および保存壁面部材２の両側部には、既設壁面部材落下防止ワイヤーが係止する係止用部材（たとえば、既設壁面部材落下防止ワイヤーが貫通するリング状部材等）が設置され、撤去壁面部材１および保存壁面部材２の何れかが、支柱懐部１３から抜け出しても、壁体基礎１１から脱落しないようになっている。
【００２８】
（仮止め工程）
図２において、壁体基礎１１の上面に仮止め支保２０を配置して、仮止め支保２０の上端側方に突出するフランジ２１によって、保存壁面部材２を支持可能（下方への移動不能）にする（図１１参照）。すなわち、仮止め支保２０の上端は、保存壁面部材２ａの最下縁に当接したり、保存壁面部材２の最下縁に僅かの隙間を空けて対峙している。図２において、２本の仮止め支保２０が壁体基礎１１に立設させているが、本発明はこれに限定するものではなく、その数量は何本であってもよく、また、保存壁面部材２ａと支柱フランジ１２ｆとの隙間に打ち込まれて、保存壁面部材２ａを落下不能に支持する楔であってもよい。
【００２９】
（既設壁面部材の撤去工程）
図３において、撤去壁面部材１ｂを破壊または変形させて、支柱懐部１３から撤去する。このとき、既設壁面部材落下防止ワイヤー（図示しない）は設置されたままであって、撤去壁面部材１ｂの係止用部材（図示しない）から開放されているから、撤去壁面部材１ｂだけが、支柱懐部１３から撤去される。
【００３０】
（既設壁面部材受け金具の固定工程）
図４において、支柱１２の支柱ウエブ１２ｗに受け金具用ボルト１５を貫通させるための貫通孔を設け、受け金具用ボルト１５を貫通する貫通孔３１が設けられたＬ字状の既設壁面部材受け金具３０を、ボルトに螺合するナット（図示しない）によって固定する（図１２および図１４参照）。なお、支柱ウエブ１２ｗに替えて、支柱フランジ１２ｆの内面に固定してもよい。また、ボルト固定に替えて、既設壁面部材受け金具３０を支柱ウエブ１２ｗに直接溶接してもよい。
また、板材を、略の字状に折り曲げた固定金具３２が支柱１２の支柱懐部１３に配置、正確には、保存壁面部材２ａの後面側と支柱フランジ１２ｆとの間に挟圧された状態で設置されている（図１３および図１４参照）。
したがって、保存壁面部材２は、鉛直方向では、支柱ウエブ１２ｗに固定された既設壁面部材受け金具３０に受け止められ、水平方向（道路の内外方向）では、固定金具３２によって支柱フランジに押し付けられて拘束されている（図１４参照）。
なお、図４において、上側の撤去壁面部材１ｂが撤去され、下側の撤去壁面部材１ａは撤去されていないが、両者を撤去した後、既設壁面部材受け金具３０を固定してもよい。
【００３１】
（仮止め支保の撤去工程）
図５において、仮止め支保２０を撤去する。
【００３２】
（下段枠の固定工程）
図６において、撤去壁面部材１が撤去された後の空間の底に相当する範囲、すなわち、撤去される前に撤去壁面部材１ａの下縁が位置していた部分に相当する支柱フランジ１２ｆの範囲に、支柱貫通孔１６ａを穿設する。
そして、上面に凹溝４１と両端部に下段枠貫通孔４２を具備する下段枠４０（図１５参照）を配置し、その両端部を、支柱貫通孔１６ａおよび下段枠貫通孔４２を貫通する片面締結ボルト（ワンサイドボルト、図示しない）を用いて、それぞれ支柱１２の支柱フランジ１２ｆの外面（道路側の面）に設置する。
このとき、下段枠４０の下縁は壁体基礎１１の上面に当接し、当該当接部を風、音、あるいは砂等が通過しないようにしている。なお、下段枠４０の下縁と壁体基礎１１の上面との間に、遮音壁または防音壁用に、遮音または防音、防振若しくは密着性向上の為の弾性体（ガスケット等）を介在させてもよい。
【００３３】
（新設壁面部材の設置工程）
図７において、下段枠４０の上面に形成された凹溝４１に、新たに設置する壁面部材（以下、「新設壁面部材」と称す）３の下縁を装入して、上縁が保存壁面部材２ａの下縁と所定の隙間を空けて略鉛直に配置する。
【００３４】
（新設壁面部材落下防止ワイヤーの設置工程）
そして、新設壁面部材３に、支柱１２を隔てて既に改修済みの新設壁面部材４が隣接している場合は、新設壁面部材３と改修済み新設壁面部材４とを、支柱ウエブ１２ｗを貫通する新設壁面部材落下防止ワイヤー５によって連結する。このとき、新設壁面部材落下防止ワイヤー５の両端には、新設壁面部材３に設けられた貫通孔６を貫通自在な所定の長さのねじ棒５ｓが固定され、ねじ棒５ｓに螺合するナット５ｎを締め込むことによって、ナット５ｎが新設壁面部材３を挾持するものである（図１６参照）。
【００３５】
そして、新設壁面部材３の上縁を上段枠５０の下面に形成された凹溝５１に装入する。なお、新設壁面部材３の上縁を上段枠５０の下面に形成された凹溝５１に装入した後、新設壁面部材落下防止ワイヤー５を設置してもよい。
また、新設壁面部材３の両側に、支柱１２を隔てて既に改修済みの新設壁面部材４が存在する場合は、当該両側の改修済みの新設壁面部材４と連結する。また、新設壁面部材３が支柱１２を隔てて撤去壁面部材１と隣接する場合には、撤去壁面部材１と連結する。
なお、新設壁面部材３と改修済みの新設壁面部材４との連結にかえて、新設壁面部材３と既設壁面部材落下防止ワイヤー（図示しない）とを係止部材を介して係止するようにしてもよい。
【００３６】
（上段枠の固定工程）
図８において、撤去壁面部材１が撤去された後の空間の天井に相当する範囲、すなわち、撤去される前に撤去壁面部材１ｂの上縁が位置していた部分に相当する支柱フランジ１２ｆの範囲に、支柱貫通孔１６ｂを穿設する。
そして、下面に凹溝５１と両端部に上段枠貫通孔５２を具備する上段枠５０（図１７参照）を配置し、その両端部を、支柱貫通孔１６ｂおよび上段枠貫通孔５２を貫通する片面締結ボルト（ワンサイドボルト、図示しない）を用いて、それぞれ支柱１２の支柱フランジ１２ｆの外面（道路側の面）に設置する。
【００３７】
（縦枠の固定工程）
図９において、支柱１２の支柱フランジ１２ｆの外面（道路側の面）に所定の間隔で縦枠用ボルト１７を溶接し、これに螺合するナット６２によって、縦枠用ボルト１７が貫通する貫通孔６１が設けられた縦枠６０を設置する（図１８参照）。このとき、新設壁面部材３に支柱１２を隔てて隣接する既に改修済みの新設壁面部材４が存在しているから、縦枠６０は新設壁面部材３の側縁と改修済みの新設壁面部材４の側縁とを同時に保持することになる。また、ナット６２の目隠しのため、化粧キャップ等を設置してもよい。
【００３８】
（隙間隠し板の設置工程）
図１０において、保存壁面部材２ａの下縁と、上段枠５０の上縁とに跨って、断面Ｌ字状の隙間隠し板７０を設置する。したがって、両者の隙間が覆われるから、隙間を風、音、あるいは砂等が通過することがない。このとき、隙間隠し板７０の鉛直面のみを保存壁面部材２ａに固定して、隙間隠し板７０の水平面と上段枠５０との間にガスケット等を設置してもよい（図１９参照）。
さらに、上段枠５０に替えて、上段枠５０と隙間隠し板７０とが一体になったものに相当する、隙間隠し板付き上段枠１５０を支柱フランジ１２ｆに設置してもよい。すなわち、隙間隠し板付き上段枠１５０は、下面には凹溝１５１と、上面には断面Ｌ字状の隙間隠し部１７０と、両端部には貫通孔１５２と、を有している（図２０参照）。
【００３９】
以上の工程によって、保存壁面部材２の全てを一旦撤去することなく、撤去壁面部材１を新設壁面部材３に、迅速に取り替えることができる。このとき、改修現場においては、
ａ）既設壁面部材受け金具３０を設置するための受け金具用ボルト１５を支柱ウエブ１２ｗに貫通させるための貫通孔を設ける作業、
ｂ）縦枠６０を設置するための縦枠用ボルト１７を支柱フランジ１２ｆに溶接する作業、
ｃ）下段枠４０および上段枠５０をそれぞれ設置するための支柱貫通孔１６ａおよび支柱貫通孔１６ｂを支柱フランジ１２ｆに穿設（形成）する作業、
が生じるだけで、大がかりなクレーンワークを必要としないから、作業が迅速になると共に、大型機械を設置するための広い作業面積を確保する必要がなくなる。なお、以上は、撤去壁面部材１を２枚撤去しているが、その枚数は限定するものではない。
【００４０】
［実施形態２］
図２１は本発明の実施形態２に係る壁体構造の改修方法を説明するものであって、（ａ）は壁体構造の一部を模式的に示す正面図、（ｂ）は断面図である。また、図２２は、図２１に説明する壁体構造の改修方法に使用する部材を模式的に示す、（ａ）は平面図、（ｂ）は正面図、（ｃ）は側面図である。なお、実施の形態１（図１〜１９）と同じ部分または相当する部分には同じ符号を付し、一部の説明を省略する。
【００４１】
図２１において、撤去壁面部材１ａ、１ｂを撤去した後に、中段枠８０を用いて下段側の新設壁面部材３ａと上段側の新設壁面部材３ｂとを設置している。このとき、中段枠８０の上下面にはそれぞれ凹溝８１ａ、８１ｂと、両端部に中段枠貫通孔８２と、が設けられている（図２２参照）。
そして、実施の形態１の新設壁面部材３および上段枠５０を、それぞれ下段側の新設壁面部材３ａおよび中段枠８０と読み替えて、下段側の新設壁面部材３ａを設置し、さらに、実施の形態１の新設壁面部材３および下段枠４０を、それぞれ上段側の新設壁面部材３ｂおよび中段枠８０と読み替えて、上段側の新設壁面部材３ｂを設置するものである。
なお、縦枠６０ａおよび縦枠６０ｂが、それぞれ下段側の新設壁面部材３ａおよび上段側の新設壁面部材３ｂを保持しているが、１本の縦枠でもって、下段側の新設壁面部材３ａおよび上段側の新設壁面部材３ｂを同時に保持するようにしてもよい。
【００４２】
［実施形態３］
図２３は本発明の実施形態３に係る壁体構造の改修方法を説明するものであって、壁体構造の一部を模式的に示す側面図である。なお、実施の形態１（図１〜１９）と同じ部分または相当する部分には同じ符号を付し、一部の説明を省略する。
【００４３】
（新設壁面部材の上縁の保持）
図２３において、実施形態３に係る壁体構造の改修方法は、新設壁面部材３の上縁を保持する上段枠を設置することなく、新設壁面部材３の上縁を隙間隠し板９０によって直接保持している。
すなわち、実施の形態１における新設壁面部材３に新設壁面部材落下防止ワイヤー５を設置する工程（図７参照）の後、新設壁面部材３の両側縁を、互いに向き合った一対の支柱フランジｆの外面（道路側の面）に略当接する工程と、保存壁面部材２ａの下縁に、新設壁面部材３の上縁を覆う隙間隠し板９０を設置する工程と、を有している。なお、隙間隠し板９０を設置する工程に前後して、新設壁面部材３の側縁を保持する縦枠６０を支柱フランジｆの外面に設置する工程を有している。
【００４４】
隙間隠し板９０は、保存壁面部材２ａ（正確には、保存壁面部材２ａの下縁に下方に延設された既設の既設隙間隠し板７）に当接する上部鉛直部９１と、新設壁面部材３の上縁に当接または所定の隙間を空けて対峙する下部鉛直部９３と、上部鉛直部９１と下部鉛直部９３とを連結する中央傾斜部９２とを具備している。そして、上部鉛直部９１が既設の既設隙間隠し板７に押付けリベット（図示しない）によって固定される。
このとき、下部鉛直部９３と新設壁面部材３の上縁との間に隙間隠しゴム（ガスケットに同じ）９４が設置され、遮音性、防振性、密着性等を高めている。
したがって、実施の形態３においても実施の形態１と同様に、保存壁面部材２を撤去する必要がないから、改修作業は迅速になり、作業面積（作業スペース）を狭くすることができると共に、改修に要する部品点数が減少するから、施工コストがさらに低減する。
【産業上の利用可能性】
【００４５】
本発明は、改修作業を迅速化にして作業面積（作業スペース）を狭くすることができるから、各種目的に応じて様々な場所に設置される各種壁体構造の改修方法として、広く利用することができる。
【図面の簡単な説明】
【００４６】
【図１】本発明の実施形態１に係る壁体構造の改修方法を説明する、壁体構造の一部を模式的に示す正面図と断面図。
【図２】図１に示す工程に続く工程を説明する壁体構造の一部の正面図と断面図。
【図３】図２に示す工程に続く工程を説明する壁体構造の一部の正面図と断面図。
【図４】図３に示す工程に続く工程を説明する壁体構造の一部の正面図と断面図。
【図５】図４に示す工程に続く工程を説明する壁体構造の一部の正面図と断面図。
【図６】図５に示す工程に続く工程を説明する壁体構造の一部の正面図と断面図。
【図７】図６に示す工程に続く工程を説明する壁体構造の一部の正面図と断面図。
【図８】図７に示す工程に続く工程を説明する壁体構造の一部の正面図と断面図。
【図９】図８に示す工程に続く工程を説明する壁体構造の一部の正面図と断面図。
【図１０】図９に示す工程に続く工程を説明する壁体構造の一部の正面図と断面図。
【図１１】図１等に示す壁体構造の改修方法に使用する部材を示す平面図等。
【図１２】図１等に示す壁体構造の改修方法に使用する部材を示す平面図等。
【図１３】図１等に示す壁体構造の改修方法に使用する部材を示す平面図等。
【図１４】図１等に示す壁体構造の改修方法の説明を捕捉するための模式側面図。
【図１５】図１等に示す壁体構造の改修方法に使用する部材を示す平面図等。
【図１６】図１等に示す壁体構造の改修方法の説明を捕捉するための模式断面図。
【図１７】図１等に示す壁体構造の改修方法に使用する部材を示す平面図等。
【図１８】図１等に示す壁体構造の改修方法に使用する部材を示す平面図等。
【図１９】図１等に示す壁体構造の改修方法の説明を捕捉するための模式側面図。
【図２０】図１等に示す壁体構造の改修方法に使用する部材を示す平面図等。
【図２１】本発明の実施形態２に係る壁体構造の改修方法を説明する、壁体構造の一部を示す正面図と断面図。
【図２２】図２１に示す壁体構造の改修方法に使用する部材を示す平面図等。
【図２３】本発明の実施形態２に係る壁体構造の改修方法を説明する、壁体構造の一部を示す側面図。
【符号の説明】
【００４７】
１ 撤去壁面部材（既設壁面部材）
２ 保存壁面部材（既設壁面部材）
３ 新設壁面部材
４ 新設壁面部材
５ 新設壁面部材落下防止ワイヤー
６ 貫通孔
７ 隙間隠し板
１１ 壁体基礎
１２ 支柱
１３ 支柱懐部
１４ 先端連結材
１５ 金具用ボルト
１６ａ 支柱貫通孔
１６ｂ 支柱貫通孔
１７ 縦枠用ボルト
２０ 仮止め支保
２１ フランジ
３０ 既設壁面部材受け金具
３１ 貫通孔
３２ 固定金具
４０ 下段枠
４１ 凹溝
４２ 下段枠貫通孔
５０ 上段枠
５１ 凹溝
５２ 上段枠貫通孔
６０ 縦枠
６１ 貫通孔
６２ ナット
７０ 隙間隠し板
８０ 中段枠
８１ａ 凹溝
８２ 中段枠貫通孔
９０ 板
９１ 上部鉛直部
９２ 中央傾斜部
９３ 下部鉛直部
１００ 壁体構造
１５０ 上段枠
１５１ 凹溝
１５２ 貫通孔
１７０ 隙間隠し部
【図１】
0004937099.tif 000002
【図２】
0004937099.tif 000003
【図３】
0004937099.tif 000004
【図４】
0004937099.tif 000005
【図５】
0004937099.tif 000006
【図６】
0004937099.tif 000007
【図７】
0004937099.tif 000008
【図８】
0004937099.tif 000009
【図９】
0004937099.tif 000010
【図１０】
0004937099.tif 000011
【図１１】
0004937099.tif 000012
【図１２】
0004937099.tif 000013
【図１３】
0004937099.tif 000014
【図１４】
0004937099.tif 000015
【図１５】
0004937099.tif 000016
【図１６】
0004937099.tif 000017
【図１７】
0004937099.tif 000018
【図１８】
0004937099.tif 000019
【図１９】
0004937099.tif 000020
【図２０】
0004937099.tif 000021
【図２１】
0004937099.tif 000022
【図２２】
0004937099.tif 000023
【図２３】
0004937099.tif 000024